(57)【特許請求の範囲】
【請求項１】
火災受信部からの１本の伝送線に複数の端末機器が接続されて該端末機器の一つとして電源供給用中継器があって、該火災受信部が各端末機器を個別に監視制御する火災報知設備において、
前記電源供給用中継器は、端末電源線を介して前記複数の端末機器の少なくとも他の一つに接続されて、該接続された端末機器に電源供給する電源部と、該電源部の状態を監視する電源監視部と、前記電源部の状態情報を含む自己の状態情報を記憶する記憶部とを備え、
前記電源供給用中継器が、前記伝送線を介して前記自己の状態情報を送信し、前記火災受信部が受信することを特徴とする火災報知設備。
【請求項２】
前記電源部は、商用電源からの電源供給を受けて、通常時に前記接続された端末機器に電源供給する電源ユニットと、前記商用電源からの電源供給を受ける充電回路に通常時に接続されて充電され、前記電源ユニットの異常時または前記商用電源の停電時には前記充電回路から切り離されて前記接続された端末機器に電源供給する予備電源と、を備え、
前記電源監視部は、前記電源ユニットの状態、前記予備電源の状態、または前記商用電源の状態、を監視する請求項１記載の火災報知設備。
【請求項３】
前記火災受信部から前記伝送線を介して前記各端末機器に対して呼出命令を送信し、該呼出命令への応答として、前記各端末機器から前記伝送線を介する状態応答信号を送信して前記火災受信部が受信することに基づいて、状態変化のある端末機器に特定する状態変化監視手段と、
前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、
をそれぞれ備え、
前記電源供給用中継器は、前記伝送線を介して前記呼出命令を受信した場合に、前記自己の状態情報を前記状態応答信号として前記伝送線に送信し、
さらに、前記特定の状態変化として、前記電源部の異常を示す状態情報が示されることによって、前記伝送線を介して、前記拡張状態返送命令を受信した場合に、前記電源部のデータ量の多い状態情報を前記拡張応答信号として前記伝送線に送信するものである請求項２記載の火災報知設備。
【請求項４】
前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、
を備え、
前記電源供給用中継器は、前記自己の状態情報として、前記制御命令として前記火災受信部から送信される電源部試験命令受信の状態情報を含むと共に、
前記伝送線を介して前記制御命令として前記電源部試験命令を受信した場合に、前記電源監視部が前記予備電源の電源電圧値監視を含む電源部の状態監視を行うとともに、前記伝送線を介して前記応答信号を前記伝送線に送信し、
さらに、前記特定の状態変化として、前記電源部試験命令受信を示す状態情報が示されることによって、前記伝送線を介して、前記拡張状態返送命令を受信した場合に、前記電源部のデータ量の多い状態情報を前記拡張応答信号として前記伝送線に送信するものである請求項３記載の火災報知設備。
【請求項５】
前記火災受信部から前記伝送線を介して前記各端末機器に対して呼出命令を送信し、該呼出命令への応答として、前記各端末機器から前記伝送線を介する状態応答信号を送信して前記火災受信部が受信することに基づいて、状態変化のある端末機器に特定する状態変化監視手段と、
前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、
前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、
をそれぞれ備え、
前記電源供給用中継器は、前記自己の状態情報として、前記制御命令として前記火災受信部から送信される電源部試験命令受信の状態情報を含むと共に、
前記伝送線を介して前記呼出命令を受信した場合に、前記自己の状態情報を前記状態応答信号として前記伝送線に送信し、
また、前記伝送線を介して前記制御命令として前記電源部試験命令を受信した場合に、前記電源監視部が前記予備電源の電源電圧値監視を含む電源部の状態監視を行うとともに、前記伝送線を介して前記応答信号を前記伝送線に送信し、
さらに、前記特定の状態変化として、前記電源部の異常を示す状態情報または前記電源部試験命令受信を示す状態情報が示されることによって、前記伝送線を介して、前記拡張状態返送命令を受信した場合に、前記電源部のデータ量の多い状態情報を前記拡張応答信号として前記伝送線に送信するものである請求項２記載の火災報知設備。
【請求項６】
前記電源部のデータ量の多い状態情報として、前記予備電源の電源電圧値を含む請求項３〜５記載の火災報知設備。
【請求項７】
前記状態変化監視手段は、前記各端末機器の全体に対する呼出信号を送信するシステムポーリング手段、あるいは、前記各端末機器を複数のグループに分けて各グループごとに呼出信号を順次複数送信するポイントポーリング手段であり、同時に、前記各端末機器は、前記呼出信号あるいは前記自己のグループに対する呼出信号に対して前記状態応答信号の送信を所定のタイミングで行うものである請求項３〜６記載の火災報知設備。
【発明の詳細な説明】
【技術分野】
【０００１】
本発明は、火災報知設備に関するものである。
【背景技術】
【０００２】
従来の火災報知設備においては、火災受信機と電源兼信号線を介して接続された端末機器の一例としての中継器が、その電源兼信号線を介して電源の供給を受けて動作している（例えば、特許文献１）。
【０００３】
上述の従来の火災報知設備では、中継器は、電源兼信号線を介して電源の供給を受けて動作しているものの、電源兼信号線から電源の供給を受けるという電源供給方式では、電源兼信号線への電流が増加し、伝送距離に基づく線路抵抗によって電圧降下の影響が発生することから、伝送距離が制限されるという問題があった。
【０００４】
そこで、中継器が、伝送線とは異なる電源線を介して火災受信機と接続され、中継器および中継器に回線を介して接続される監視用機器あるいは被制御機器が、この電源線を介して電源の供給を受けて動作するようにして、伝送距離を延ばすことができるようにした火災報知設備が知られている（例えば、特許文献２参照）。
【特許文献１】特開平８−２４９５６０号公報
【特許文献２】特開２００４−３０３００９号公報
【発明の開示】
【発明が解決しようとする課題】
【０００５】
このような火災報知設備では、端末機器への電源供給方法として、火災受信機の内部の端末用電源部から電源を供給しているため、設備の規模によっては特殊な大きさの端末用電源部としての電源装置および予備電源を搭載するしか手段がなく、盤サイズもそれに合わせて変更する必要があった。また、リニューアルなどによって設備の規模が増加した場合に、火災受信機の端末用電源部の電源容量が足りないと、全ての端末機器へ電源を供給することができなかった。
【０００６】
本発明は、前記問題点に鑑みてなされたものであり、設備の規模に関係なく、または、リニューアルなどによって設備全体に必要な電源容量が変化しても、全ての端末機器へ電源を供給可能とすることを目的とする。
【課題を解決するための手段】
【０００７】
この発明は、火災受信部からの１本の伝送線に複数の端末機器が接続されて該端末機器の一つとして電源供給用中継器があって、該火災受信部が各端末機器を個別に監視制御する火災報知設備において、前記電源供給用中継器は、端末電源線を介して前記複数の端末機器の少なくとも他の一つに接続されて、該接続された端末機器に電源供給する電源部と、該電源部の状態を監視する電源監視部と、前記電源部の状態情報を含む自己の状態情報を記憶する記憶部とを備え、前記電源供給用中継器が、前記伝送線を介して前記自己の状態情報を送信し、前記火災受信部が受信することを特徴とする。
【０００８】
また、前記電源部は、商用電源からの電源供給を受けて、通常時に前記接続された端末機器に電源供給する電源ユニットと、前記商用電源からの電源供給を受ける充電回路に通常時に接続されて充電され、前記電源ユニットの異常時または前記商用電源の停電時には前記充電回路から切り離されて前記接続された端末機器に電源供給する予備電源と、を備え、前記電源監視部は、前記電源ユニットの状態、前記予備電源の状態、または前記商用電源の状態、を監視する。
【０００９】
また、前記火災受信部から前記伝送線を介して前記各端末機器に対して呼出命令を送信し、該呼出命令への応答として、前記各端末機器から前記伝送線を介する状態応答信号を送信して前記火災受信部が受信することに基づいて、状態変化のある端末機器に特定する状態変化監視手段と、前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、をそれぞれ備え、前記電源供給用中継器は、前記伝送線を介して前記呼出命令を受信した場合に、前記自己の状態情報を前記状態応答信号として前記伝送線に送信し、  さらに、前記特定の状態変化として、前記電源部の異常を示す状態情報が示されることによって、前記伝送線を介して、前記拡張状態返送命令を受信した場合に、前記電源部のデータ量の多い状態情報を前記拡張応答信号として前記伝送線に送信するものである。
【００１０】
また、前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、を備え、前記電源供給用中継器は、前記自己の状態情報として、前記制御命令として前記火災受信部から送信される電源部試験命令受信の状態情報を含むと共に、前記伝送線を介して前記制御命令として前記電源部試験命令を受信した場合に、前記電源監視部が前記予備電源の電源電圧値監視を含む電源部の状態監視を行うとともに、前記伝送線を介して前記応答信号を前記伝送線に送信し、さらに、前記特定の状態変化として、前記電源部試験命令受信を示す状態情報が示されることによって、前記伝送線を介して、前記拡張状態返送命令を受信した場合に、前記電源部のデータ量の多い状態情報を前記拡張応答信号として前記伝送線に送信するものである。
【００１１】
また、前記火災受信部から前記伝送線を介して前記各端末機器に対して呼出命令を送信し、該呼出命令への応答として、前記各端末機器から前記伝送線を介する状態応答信号を送信して前記火災受信部が受信することに基づいて、状態変化のある端末機器に特定する状態変化監視手段と、前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、をそれぞれ備え、前記電源供給用中継器は、前記自己の状態情報として、前記制御命令として前記火災受信部から送信される電源部試験命令受信の状態情報を含むと共に、前記伝送線を介して前記呼出命令を受信した場合に、前記自己の状態情報を前記状態応答信号として前記伝送線に送信し、また、前記伝送線を介して前記制御命令として前記電源部試験命令を受信した場合に、前記電源監視部が前記予備電源の電源電圧値監視を含む電源部の状態監視を行うとともに、前記伝送線を介して前記応答信号を前記伝送線に送信し、さらに、前記特定の状態変化として、前記電源部の異常を示す状態情報または前記電源部試験命令受信を示す状態情報が示されることによって、前記伝送線を介して、前記拡張状態返送命令を受信した場合に、前記電源部のデータ量の多い状態情報を前記拡張応答信号として前記伝送線に送信するものである。
【００１２】
また、前記電源部のデータ量の多い状態情報として、前記予備電源の電源電圧値を含む。
【００１３】
また、前記状態変化監視手段は、前記各端末機器の全体に対する呼出信号を送信するシステムポーリング手段、あるいは、前記各端末機器を複数のグループに分けて各グループごとに呼出信号を順次複数送信するポイントポーリング手段であり、同時に、前記各端末機器は、前記呼出信号あるいは前記自己のグループに対する呼出信号に対して前記状態応答信号の送信を所定のタイミングで行うものである。
【発明の効果】
【００１４】
本発明は、火災受信部からの１本の伝送線に複数の端末機器が接続されて該端末機器の一つとして電源供給用中継器があって、該火災受信部が各端末機器を個別に監視制御する火災報知設備において、前記電源供給用中継器は、端末電源線を介して前記複数の端末機器の少なくとも他の一つに接続されて、該接続された端末機器に電源供給する電源部を備えていることによって、火災受信部の端末電源部では電源供給できない端末機器に電源供給用中継器が電源供給するので、設備の規模に関係なく、または、リニューアルなどによって設備全体に必要な電源容量が変化しても、全ての端末機器へ電源を供給可能とすることができる。そして、電源供給用中継器は、該電源部の状態を監視する電源監視部と、前記電源部の状態情報を含む自己の状態情報を記憶する記憶部とを備え、前記電源供給用中継器が、前記伝送線を介して前記自己の状態情報を送信し、前記火災受信部が受信することによって、火災受信部が電源供給用中継器の電源部の状態を監視することができる。
【００１５】
この前記電源部は、商用電源からの電源供給を受けて、通常時に前記接続された端末機器に電源供給する電源ユニットと、前記商用電源からの電源供給を受ける充電回路に通常時に接続されて充電され、前記電源ユニットの異常時または前記商用電源の停電時には前記充電回路から切り離されて前記接続された端末機器に電源供給する予備電源と、を備え、前記電源監視部は、前記電源ユニットの状態、前記予備電源の状態、または前記商用電源の状態、を監視することによって、電源供給用中継器の電源部のこれら状態を火災受信部が監視することができる。
【００１６】
そして、前記火災受信部から前記伝送線を介して前記各端末機器に対して呼出命令を送信し、該呼出命令への応答として、前記各端末機器から前記伝送線を介する状態応答信号を送信して前記火災受信部が受信することに基づいて、状態変化のある端末機器に特定する状態変化監視手段と、前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、をそれぞれ備え、前記電源供給用中継器は、前記伝送線を介して前記呼出命令を受信した場合に、前記自己の状態情報を前記状態応答信号として前記伝送線に送信し、さらに、前記特定の状態変化として、前記電源部の異常を示す状態情報が示されることによって、前記伝送線を介して、前記拡張状態返送命令を受信した場合に、前記電源部のデータ量の多い状態情報を前記拡張応答信号として前記伝送線に送信するものであることによって、いずれかの端末機器に発生する状態変化を、火災受信部が即座に認識できるとともに、状態に関する情報が複雑な場合があってもデータ量の拡張を可能とし、的確に情報を収集することができる。例えば、電源供給用中継器の電源部の詳細な状態情報について火災受信部が収集することができ、火災受信部による監視制御動作における適切な信号伝送を実現できる。
【００１７】
さらに、前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、を備え、前記電源供給用中継器は、前記自己の状態情報として、前記制御命令として前記火災受信部から送信される電源部試験命令受信の状態情報を含むと共に、前記伝送線を介して前記制御命令として前記電源部試験命令を受信した場合に、前記電源監視部が前記予備電源の電源電圧値監視を含む電源部の状態監視を行うとともに、前記伝送線を介して前記応答信号を前記伝送線に送信し、さらに、前記特定の状態変化として、前記電源部試験命令受信を示す状態情報が示されることによって、前記伝送線を介して、前記拡張状態返送命令を受信した場合に、前記電源部のデータ量の多い状態情報を前記拡張応答信号として前記伝送線に送信するものであることによって、電源供給用中継器の電源部の詳細な状態情報について火災受信部が電源部試験命令に基づいて収集することができる。
【００１８】
そして、前記電源部のデータ量の多い状態情報として、前記予備電源の電源電圧値を含むことによって、予備電源の電源電圧値を火災受信部が収集することができ、例えば充電機能低下（電源電圧値低下）に伴う、保守部品としての予備電源の交換を行うことができる。
【００１９】
この前記状態変化監視手段は、前記各端末機器の全体に対する呼出信号を送信するシステムポーリング手段、あるいは、前記各端末機器を複数のグループに分けて各グループごとに呼出信号を順次複数送信するポイントポーリング手段であり、同時に、前記各端末機器は、前記呼出信号あるいは前記自己のグループに対する呼出信号に対して前記状態応答信号の送信を所定のタイミングで行うものであることによって、火災受信部が個々の信号の送信元を特定することができる。
【発明を実施するための最良の形態】
【００２０】
以下、本発明の一実施形態について図面を用いて説明する。図１は、本発明の一実施形態に係る火災報知設備の概略的なシステム構成図である。
【００２１】
図１において、火災受信機１０と、この火災受信機１０に伝送線Ｌ１を通じて接続された試験機能付き電源供給用中継器（以下、電源供給用中継器と略称）５０および試験機能付き中継器２０（２０ａ、２０ｂ、２０ｃ、２０ｄ）と、この試験機能付き中継器２０に感知器回線Ｌ２を通じて接続された複数の自動試験機能付き感知器（以下、ＡＴ感知器と略称）３０とが示されている。この火災受信機１０には、伝送線Ｌ１を通じて、ＡＴ感知器３０とは異なる伝送線Ｌ１を介して状態情報を送信する火災感知器等のその他の端末機器が、図示しないが、必要に応じて複数接続されている。
【００２２】
また、図１において、火災受信機１０は、試験機能付き中継器２０ｃ、２０ｄおよびその他の端末機器と第１の端末電源線（以下、端末電源線と略称）Ｌ３を通じて接続されて、これら端末機器に対して、内部に設けられる端末電源部１５（図２）から電源を供給している。さらに、試験機能付き中継器２０ｃ、２０ｄに感知器回線Ｌ２を通じて接続された複数のＡＴ感知器３０に対しても、内部に設けられる端末電源部１５（図２）から端末電源線Ｌ３を介して電源を供給している。
【００２３】
一方、図１において、電源供給用中継器５０は、試験機能付き中継器２０ａ、２０ｂと第２の端末電源線（以下、端末電源線と略称）Ｌ４を通じて接続されて、これら端末機器に対して、内部に設けられる電源部５５（図３）から電源を供給している。さらに、試験機能付き中継器２０ａ、２０ｂに感知器回線Ｌ２を通じて接続された複数のＡＴ感知器３０に対しても、内部に設けられる電源部５５（図３）から端末電源線Ｌ４を介して電源を供給している。またさらに、電源供給用中継器５０は、内部に設けられる電源部５５（図３）から自身の各回路に電源を供給している。
【００２４】
そして、前述した電源供給方式のシステム構成とすることによって、火災受信機１０の端末電源部１５の電源容量では電源供給できない端末機器（およびそれら端末機器に回線を介して接続されているＡＴ感知器３０等の監視用機器あるいは被制御機器）がある場合であっても、火災受信機１０の代わりに電源供給用中継器５０が電源を供給することができるので、設備の規模に関係なく、または、リニューアルなどによって設備全体に必要な電源容量が変化しても、全ての端末機器へ電源を供給可能とすることができる。
【００２５】
図２は火災受信機１０の構成を示すブロック図である。
【００２６】
図２において、火災受信機１０は、制御部１１と、表示操作部１２と、記憶部１３と、送受信部１４と、端末電源部１５とから構成されている。それぞれ詳細に説明しないが、この制御部１１は、ＣＰＵやタイマ等を含み、表示操作部１２は、ＬＣＤ等の表示装置および各種スイッチ類を含み、また、記憶部１３は、接続される端末機器に関するデータベースＤＢを含む。また、送受信部１４は、伝送線Ｌ１を介して電源供給用中継器５０等の伝送線Ｌ１上の全ての端末機器と接続され、さらに、端末用電源部１５は、端末電源線Ｌ３を介して試験機能付き中継器２０ｃ、２０ｄおよびその他の端末機器に接続されている。
【００２７】
図３は電源供給用中継器５０の構成を示すブロック図である。
【００２８】
図３において、電源供給用中継器５０は、制御部５１と、記憶部５３と、送受信部５４と、電源部５５とから構成されている。
【００２９】
電源部５５は、ＡＣ／ＤＣコンバータとしての電源ユニット５５ａとバッテリとしての予備電源５５ｂと充電回路５５ｃとを有し、端末電源線Ｌ４を介して試験機能付き中継器２０ａ、２０ｂに接続されている。電源ユニット５５aは、商用電源ＡＣ１００Ｖからの電源供給を受けて、通常時に端末電源線Ｌ４を介して接続された試験機能付き中継器２０ａ、２０ｂおよび自身の内部回路に電源を供給する。予備電源５５ｂは、商用電源ＡＣ１００Ｖからの電源供給を受ける充電回路５５ｃに通常時に接続されて充電され、一方、電源ユニット５５ａの異常時または商用電源ＡＣ１００Ｖの停電時には充電回路５５ｃから切り離されて、電源ユニット５５ａに代わって、端末電源線Ｌ４を介して接続された試験機能付き中継器２０ａ、２０ｂおよび自身の内部回路に電源を供給する。
【００３０】
制御部５１は、ＣＰＵやタイマ等を含み、さらに電源部５５の状態を定期的に監視する電源監視部５１ａを有し、電源監視部５１ａによって、電源ユニット５５ａ、予備電源５５ｂ、および商用電源ＡＣ１００Ｖの状態をそれぞれ監視する。例えば、電源ユニット５５ａが出力する出力電圧値、予備電源５５ｂと充電回路５５ｃとの接続状態、商用電源ＡＣ１００Ｖから入力される入力電圧値のそれぞれに基づいて、それぞれの正常または異常を検出する。そして、これら検出した状態情報に基づいて、電源ユニット５５ａまたは予備電源５５ｂのいずれかを選択して、端末電源線Ｌ４等に電源を供給させる制御を行う。
【００３１】
また、制御部５１は、火災受信機１０から送信される電源部試験命令（後に詳細に述べる）としての自動試験命令または予備電源試験命令を受信したときには、前記した監視内容の他に、予備電源５５ｂの電源電圧値を監視する。予備電源５５ｂの電源電圧値の監視を試験命令受信時のみに行う理由としては、予備電源５５ｂの電源電圧値を監視するためには、充電回路５５ｃから予備電源５５ｂを切り離す必要があり、このように切り離した状態を多くすると予備電源５５ｂが満充電になりにくくなるためである。
【００３２】
記憶部５３は、電源監視部５１ａによって検出された電源部５５の状態情報を記憶する。電源部５５の状態情報としては、電源部５５全体での正常または異常を示す情報である。また、その他の状態情報として、伝送線Ｌ１を介して火災受信機１０から送信される電源部試験命令受信の有無を示す状態情報も記憶する。さらに、電源部５５の詳細状態情報として、電源ユニット５５ａ、予備電源５５ｂおよび商用電源ＡＣ１００Ｖ毎の正常または異常の情報、それぞれの監視した電圧値などのより詳細な状態情報も記憶する。そして、送受信部５４は、伝送線Ｌ１を介して火災受信機１０に接続されている。
【００３３】
図４は端末電源線Ｌ４に接続される端末機器の一例として、中継器２０ａの構成を示すブロック図であり、中継器２０ｂも同様の構成である。
【００３４】
中継器２０ａは、制御部２１と、送受信部２２と、信号検出部２３と、信号送出部２４、定電圧回路２５とから構成されている。それぞれ詳細に説明しないが、この制御部２１は、ＣＰＵやタイマ等を含む。また、送受信部２２は、伝送線Ｌ１を介して火災受信機１０と接続され、さらに、信号検出部２３および信号送出部２４は、感知器回線Ｌ２を介して複数のＡＴ感知器３０に接続され、またさらに、定電圧回路２５は、端末電源線Ｌ４を介して電源供給用中継器５０と接続されて、自身の各部に電源を供給している。また、端末電源線Ｌ４は、感知器回線Ｌ２と接続されて回線Ｌ２上の複数のＡＴ感知器３０に電源を供給している。
【００３５】
図５は端末電源線Ｌ３に接続される端末機器の一例として、中継器２０ｃの構成を示すブロック図であり、中継器２０ｄ等も同様の構成である。
【００３６】
中継器２０ｃは、中継器２０ａと同様に、制御部２１と、送受信部２２と、信号検出部２３と、信号送出部２４、定電圧回路２５とから構成されているので、各部の説明を省略する。そして、中継器２０ａとの相違点としては、中継器２０ａは定電圧回路２５が端末電源線Ｌ４を介して電源供給用中継器５０と接続されているのに対して、中継器２０ｃは定電圧回路２５が端末電源線Ｌ３を介して火災受信機１０と接続されている点のみである。また、端末電源線Ｌ３は、感知器回線Ｌ２と接続されて回線Ｌ２上の複数のＡＴ感知器３０に電源を供給している。
【００３７】
そして、図４および５のＡＴ感知器３０は、感知器回線Ｌ２に対して図示しない一般型感知器（オンオフ型）と混在して接続されており、ＡＴ感知器３０は、試験情報送出のためパルスを利用したコード信号を用いる信号伝送を行う。なお、ＡＴ感知器３０からの火災信号は、図示しない一般型感知器と同じようにオンオフ信号であり、試験機能付き中継器２０の信号検出部２３で検出される。つまり、ＡＴ感知器３０からの火災信号は、信号伝送ではなく、いわゆるスイッチング動作を行い、感知器回線Ｌ２を低インピーダンス状態とする。
【００３８】
図６は、火災受信機１０内に設けられるデータベースＤＢの構成例を示す図である。
【００３９】
図６において、データベースＤＢは、アドレス１３１と、端末名称１３２と、メッセージ１３３と枝番１３４とを備えて構成され、これらの項目以外に、連動設定、感度設定、蓄積有無など、個々の端末機器に必要なデータ設定が行える。アドレス１３１は、伝送線Ｌ１に接続される試験機能付き中継器２０等の端末機器に個別に付与される００１、００２、…、などの番号である。端末名称１３２は、監視用機器および被制御機器の端末機器として用いられている機種を特定するため、実際には簡略的なコードが設定されている。メッセージ１３３は、「１階１番 実験室」等の設置場所を表すために文字列が設定され、例えば最大１６文字とされる。
【００４０】
また、枝番１３４は、端末機器が試験機能付き中継器２０の場合に、感知器回線Ｌ２に接続されているＡＴ感知器３０の有無を示しており、図１に示すシステム構成の起動時に、中継器２０が各枝番ごとに応答の有無を検出し、その結果を火災受信機１０が取り込んで、個々の枝番１３４に対するＡＴ感知器３０の有無がデータベースＤＢに設定される。
【００４１】
このようなデータベースＤＢを用いて、一例として図７に示すような、表示操作部１２への表示内容とすることができる。図７は、表示操作部１２における表示画面の一例であり、最上段ｄ１の左側において、アドレス１３１が「０５０」で、端末名称が中継器（試験機能付き中継器２０は「感知器」と表示することとしている）で、メッセージ１３３として「１階１番 実験室」が表示され、さらに、アドレス１３１への枝番１３４として「０４」が表示されている。これによって、試験機能付き中継器２０に接続されている感知器のうち、出力値異常の発生しているＡＴ感知器３０を特定することができる。
【００４２】
なお、アドレス１３１の「０５０」の前にハイフンを介して示されている「１」は、伝送線Ｌ１の系統を区別しており、伝送線Ｌ１が複数設置されるときに、いずれの系統かを区別するものである。
【００４３】
また、図７において、最上段ｄ１は火災に関する情報（火災感知器に関する情報を含む）を表示する領域であり、第２段ｄ２は火災以外の情報（防排煙機器や地区音響装置などに関する情報）を表示する領域であり、そして、第３段ｄ３はガス漏れ警報に関する情報を表示する領域である。このように火災報知設備に関する端末機器の状態情報は、最上段ｄ１、第２段ｄ２または第３段ｄ３のいずれかに区別されて表示される。
【００４４】
また、図１の試験機能付き中継器２０のように、伝送線Ｌ１に接続されている各端末機器は、図示しないが、端末機器ごとに順次２桁の１６進数によって定められるアドレスが付与されている。すなわち、各端末機器には、００ｈ、０１ｈ、０２ｈ、…、ＦＥｈのようなアドレスが付与されている。ただし、以下の説明では、便宜上アドレスを１０進数で表すこともある。なお、このアドレスは、データベースＤＢ上の項目、アドレス１３１に対応するものである。
【００４５】
アドレス００ｈ〜ＦＥｈが付与されている端末機器は、１６個のグループＧ０〜Ｇ１５に分けられ、また、各グループ内にはそれぞれ原則１６個の端末機器が属することができる。すなわち、原則最大２５５個の端末機器が１本の伝送線Ｌ１に接続可能であり、伝送コードでは各アドレスは８ビットで表されることになる。
【００４６】
図８は、上記実施形態における端末機器のアドレスを８ビット構成のコードで示す図であり、図８（１）、（２）は、それぞれ１０進数の１０番目、２５５番目のアドレスを示している。
【００４７】
各端末機器の個々の２進数コードのアドレスは、図８に示されるように、上位４ビット（以下、上位桁という）と、下位４ビット（以下、下位桁という）とに分けられ、上位桁によって０からはじまるグループ番号を表し、下位桁によって０からはじまるグループ内の端末機器番号を表している。すなわち、図８（１）の１０番目の端末機器に着目すると、アドレスコードは２進数で「００００１００１」であり（１０進数の「９」）、そのアドレスコードの上位桁が「００００」であるので（０ｈ）、１０番目の端末機器は第０グループ（Ｇ０）に属し、その下位桁が「１００１」であるので（９ｈ）、そのグループ内における端末機器番号が９に対応することを示しており、これら上位桁と下位桁とを組み合わせた「０Ａｈ」が、設備全体から見た端末機器の順番として、アドレス０からはじまり１０番目であるアドレス９を示している。
【００４８】
また、図８（２）によるアドレス２５４に対応する２５５番目の端末機器に着目すると、その２進数によるアドレスコードが「１１１１１１１０」であり、その上位桁が「１１１１」であるので（Ｆｈ）、２５５番目の端末機器は第１５グループ（Ｇ１５）に属し、その下位桁が「１１１０」であるので（Ｅｈ）、そのグループ内における端末機器番号が１５に対応することを示しており、これら上位桁と下位桁とを組み合わせた「ＦＥｈ」が、設備全体から見た端末機器の順番として、２５５番目であるアドレス２５４（１０進数）を示している。
【００４９】
すなわち、各端末機器のアドレスは、８ビットのコード全体で、設備全体からみたアドレスを示し、同時に８ビットのコードの上位桁によってグループ番号を、８ビットのコードの下位桁によってグループ内の端末機器番号を示している。
【００５０】
このように、複数の端末機器のそれぞれに、複数の桁数で表されるアドレスを付与し、アドレスの中の特定の桁によってグループ番号を表しているので、「ポイントポーリング」においてグループ番号が共通する複数の端末機器を同時に呼出すことができる。また、呼出されたグループ番号を有する複数の端末機器のそれぞれは、グループ内の端末機器番号が互いに異なるので、各端末機器ごとに応答タイミングを割り当てることができる。
【００５１】
図９は、上記実施形態におけるポイントポーリングの動作を示すタイムチャートであり、ポイントポーリングは「グループ情報収集フレーム」と「発信機検出フレーム」とで構成されている。
【００５２】
「グループ情報収集フレーム」は、各端末機器を個々にポーリングするのではなく、上記のようにグループ化したグループごとに火災受信機１０が呼出すフレームである。呼出されたグループに属する各端末機器は、それぞれに割り当てられた応答タイミング時に、状態情報あるいは種別情報ＩＤ等のポイントポーリングによって要求されたデータを順次火災受信機１０に返信する。
【００５３】
つまり、上記ポイントポーリングによって、複数の端末機器が複数のグループに分けられ、火災受信機１０がグループごとに呼出を行い、複数のグループのうちの所定のグループに属する複数の端末機器から状態情報を、時分割で火災受信機１０が受信するものである。この方式によれば、１つのグループに属する端末機器が多数であるときに、状態変化の有る端末機器を迅速に検出することができる。
【００５４】
ここで、「状態情報」とは、端末機器がアナログ式火災感知器である場合は、検出した火災現象の物理量データであり、通常の中継器である場合は、一般型感知器等の監視用機器が接続されているときに、火災信号等を示すデータであり、防排煙機器等の被制御機器が接続されているときに、これらの機器の作動状態を示すデータである。さらに、試験機能付き中継器２０である場合は、感知器回線Ｌ２上の一般型感知器またはＡＴ感知器３０からの火災信号、あるいは、感知器回線Ｌ２上のＡＴ感知器から情報収集した結果の異常信号の有無を示すデータである。またさらに、電源供給用中継器５０である場合は、電源監視部５１ａが監視した電源部５５の正常または異常の状態信号を示すデータであり、さらに、火災受信機１０からの電源部試験命令受信の有無の状態情報を示すデータである。
【００５５】
ポイントポーリングを構成する「発信機検出フレーム」は、図示しない発信機が人為的に操作されるものであり、信頼性が高いので、速やかに作動情報を収集するために設けられたフレームである。したがって、発信機検出フレームは、図９に示すように、一つのグループに対してポイントポーリングが１回実行されるたびに、伝送線Ｌ１に接続されている全ての発信機が応答可能であり、発報中の発信機が存在すると、その発信機はポイントポーリングによる呼出に対して発信機に指定されているタイムスロットに自分のアドレスを火災受信機１０に対して返信する。
【００５６】
なお、図９における「システムポーリング」は、火災受信機１０が全ての端末機器に対して所定の制御命令を送信し、全ての端末機器を制御するものである。ここで、システムポーリングを用いて、火災受信機１０が全ての端末機器に対して行う制御命令は、例えば、火災復旧命令（全ての端末機器を正常な監視状態に復旧させる命令）、蓄積復旧命令（火災状態が継続しているかどうかを判別する蓄積動作を行うために、火災信号を送信した火災感知器や中継器等の端末機器を復旧させる命令）、地区音響停止命令（鳴動中の地区ベル等の音響装置を停止させる命令）などである。
【００５７】
また、図９における「セレクティング」は、個別の端末機器に対してアドレスを指定して所定の制御命令を送信し、当該端末機器を制御したり、また、任意の端末機器に状態情報等の要求命令を特定の端末装置に送信して、個々に端末機器から状態情報等を収集する動作である。ここで、「制御命令」とは、端末機器が電源供給用中継器５０である場合は、当該中継器５０に電源部５５の状態監視を行わせるための電源部試験命令であり、例えば一週間毎に定期的に送信される自動試験命令、表示操作部１２の図示しない予備電源試験スイッチの操作入力に基づいて送信される予備電源試験命令である。
【００５８】
図９における伝送フレームのタイムチャートについて説明する。
【００５９】
ポイントポーリングは「グループ情報収集フレーム」と「発信機検出フレーム」とで構成され、「グループ情報収集フレーム」は受信機１０が端末機器の呼出しを行う「受信機フィールド」と、それに続けて伝送が行われない「第１ウェイティングフィールドＷＦ１」と、呼出された端末機器が信号伝送を行う「端末機器フィールド」とで構成され、また、「発信機検出フレーム」は受信機１０と図示しない発信機との間で信号伝送を行う「発信機フィールド」とそれに続けて伝送が行われない「第２ウェイティングフィールドＷＦ２」とで構成される。
【００６０】
ここで、端末機器フィールドにおいて、呼出しを受けたグループに属する１６個の端末機器が、グループ内の端末機器番号に基づいた各端末機器ごとに割り当てられた応答タイミングに、順次データを返信する。
【００６１】
そして、１回のポイントポーリングが終了すると、火災受信機１０は次ぎのグループを指定するポイントポーリングを実行し、これを繰り返して全てのグループに対してポイントポーリングを行うことで、全ての端末機器から状態情報または種別情報ＩＤを収集することができる。さらに、最終のグループに対するポイントポーリングが終了すると、原則的に再度最初のグループからポイントポーリングを実行し、状態情報等の収集を続ける。
【００６２】
図９における横線の上の信号は、火災受信機１０から送信される信号であり、その横線の下の信号は、端末機器から送信される信号である。そして、火災受信機１０から送信されるアドレスＡＤ、コマンドＣＭ１、ＣＭ２、一次サムチェックコードＰＳの各コードと、端末機器から返信される返送データＤ１、二次サムチェックコードＳＳ、自己のアドレスＤＡ、返送データＤ１、Ｄ２の各コードとについて説明する。ここで、各コードはスタートビットおよびストップビットが追加された８ビットのデータ領域の１０ビットでそれぞれ構成される。
【００６３】
まず、アドレスＡＤは、２桁の１６進数で表す００ｈからＦＥｈまでの端末機器のアドレスを指定するためのデータ領域であり、通常のアドレスが示される場合には、セレクティング動作であり、特定のアドレス、ここではＦＦｈである場合に、ポイントポーリングまたはシステムポーリングであることを示している。
【００６４】
コマンドＣＭ１は、アドレスＡＤがＦＦｈである場合、コマンドＣＭ１は行われているポーリングの種類を示している。例えば、コマンドＣＭ１が０Ｘｈである場合にはポイントポーリング動作であることを示し、ＦＸｈである場合にはシステムポーリング動作であることを示している。ここで、Ｘは０からＦまでであり（１６進数）、コマンドＣＭ１が００ｈであれば、状態情報を返送させるポイントポーリングを示し、０１ｈであれば、種別情報ＩＤ（端末機器の機種等を示すコード）を返送させるＩＤポイントポーリングであることを示している。また、コマンドＣＭ１がＦ０ｈであれば、システムポーリングによる火災復旧命令を示しており、Ｆ１ｈであれば蓄積復旧命令、あるいは、Ｆ２ｈであれば地区音響停止命令を示している。
【００６５】
また、セレクティングの場合にコマンドＣＭ１はその内容を示し、例えば、０１ｈであれば状態情報返送命令であることを示し、０２ｈであれば試験命令、０３ｈまたは０４ｈであれば確認灯点灯命令または確認灯消灯制御命令等であることを示している。さらに、拡張セレクティングの場合は、セレクティングのコマンドＣＭ１を、例えば７１ｈとすることで、拡張セレクティングであることを示し、異常状態等に関する詳細状態情報返送命令であることを示している。
【００６６】
コマンドＣＭ２はポイントポーリングである場合に主に使用され、コマンドＣＭ２の下位桁によって、所定の情報を返送すべきグループを示している。例えば、コマンドＣＭ２は０Ｘｈで表され、Ｘは上記と同様でグループ番号を示す。
【００６７】
一次サムチェックコードＰＳは、火災受信機１０からの伝送が正常に行われたかどうか端末機器が確認するためのコードであり、所定の演算によって得られる。
【００６８】
他方、複数の端末機器から返信されるデータは、ポイントポーリングの場合、返送データＤ１が状態情報または種別情報ＩＤであり、同時に二次サムチェックコードＳＳが所定の演算の結果として送信される。また、セレクティングの場合、アドレスＤＡは送信する端末機器の自己のアドレスであり、返送データＤ１、Ｄ２は状態情報、種別情報ＩＤ等である。
【００６９】
次に、上記実施形態における電源供給用中継器５０の内部状態情報の格納に関する動作について説明する。図１０は、上記実施形態における電源供給用中継器５０の内部状態情報の格納動作を示すフローチャートである。
【００７０】
まず、電源ユニット５５ａの出力電圧値、および商用電源ＡＣ１００Ｖの入力電圧値を検出して、それぞれの基準値と比較してそれぞれの正常または異常を判別することによって、また、予備電源５５ｂと充電回路５５ｃとの接続状態を判別することによって、電源部５５の状態監視を行い（Ｓ１０）、状態監視の結果として、電源部５５全体としての正常または異常を示す状態情報を記憶部５３に格納し（Ｓ１１）、さらに、電源ユニット５５ａ、予備電源５５ｂ、および商用電源ＡＣ１００Ｖそれぞれの正常または異常を示すデータ、さらには、電源ユニット５５ａの出力電圧値、および商用電源ＡＣ１００Ｖの入力電圧値を示すデータを、詳細状態情報として記憶部５３に格納する（Ｓ１２）。
【００７１】
そして、詳細状態情報として、電源ユニット５５ａの異常または停電（商用電源ＡＣ１００Ｖの異常）かどうかを判別し（Ｓ１３）、電源ユニット５５ａの異常または停電でない通常時には、予備電源５５ｂと充電回路５５ｃとを接続状態として予備電源を充電し（Ｓ１４）、電源ユニット５５ａを用いて、端末電源線Ｌ４および内部の各部に電源供給を行う（Ｓ１５）。一方、電源ユニット５５ａの異常または停電である異常時には、予備電源５５ｂを充電回路５５ｃから切り離し、予備電源５５ｂを用いて、端末電源線Ｌ４および内部の各部に電源供給を行う（Ｓ１６）。
【００７２】
つぎに、送受信部５４を介して自己のアドレスと一致する電源部試験命令（セレクティング命令）の受信の有無を判別し（Ｓ１７）、電源部試験命令を受信していなければ、電源部試験命令受信を示す状態情報を消去する（Ｓ２５）一方、電源部試験命令を受信したならば、応答信号を返送する（Ｓ１８）。この応答信号は、セレクティングにおける端末フィールドであり、その内容は、アドレスＤＡが自己アドレス、返送データＤ１、Ｄ２は受信機フィールドのコマンドＣＭ１、ＣＭ２を返し、二次チェックサムコードＳＳを送信する。
【００７３】
そして、予備電源５５ｂを充電回路５５ｃから切り離し（Ｓ１９）、  前述のステップＳ１０の電源部５５の状態監視に加えて、予備電源５５ｂの電源電圧値の検出を行い（Ｓ２０）、試験終了したら、予備電源５５ｂと充電回路５５ｃを接続して、予備電源５５ｂを再び充電する（Ｓ２１）。そして、状態監視の結果として、電源部５５全体としての正常または異常を示す状態情報を記憶部５３に格納し（Ｓ２２）、また、予備電源５５ｂの電源電圧値を含む電源部５５の詳細状態情報を記憶部５３に格納し（Ｓ２３）、さらに、電源部試験命令受信を示す状態情報を記憶部５３に格納する（Ｓ２４）。その後、ステップＳ１０へ戻り、上記動作（Ｓ１０〜Ｓ２５）を繰り返して、電源部５５の状態監視を行って、電源部５５の状態情報、および予備電源５５ｂの電源電圧値を含む詳細状態情報の更新を行っていく。
【００７４】
次に、上記実施形態における伝送線Ｌ１上でのポーリングに関する動作について説明する。図１１は、上記実施形態における火災受信機１０の伝送動作を示すフローチャートである。
【００７５】
まず、電源を投入することによって立ち上げが行われた後、初期設定を行い（Ｓ１）、例えば全てのアドレスについてデータベースＤＢとして登録されている機種が実際に設置されている機種と一致することを確認する状態合わせの動作、および、試験機能付き中継器２０があるときにその感知器回線Ｌ２に接続されているＡＴ感知器３０の枝番を収集する拡張セレクティング動作など、実際の監視制御を行う前に設定、確認されるべき動作を行う。
【００７６】
そして、表示操作部１２からのオペレータの端末機器制御入力等によるセレクティング命令の有無を判断し（Ｓ２）、セレクティング命令がない場合、後述するように設定される拡張セレクティング命令の有無を判断し（Ｓ７）、拡張セレクティング命令がない場合、表示操作部１２からの復旧入力等のシステムポーリング命令の有無を判断し（Ｓ３）、システムポーリング命令がない場合、呼出すグループを特定して、ポイントポーリングを行う（Ｓ４）。その後、ステップＳ２へ戻り、上記動作（Ｓ２〜Ｓ４）を繰り返して、順次グループを変えてポイントポーリング（Ｓ４）を行っていく。
【００７７】
このポイントポーリングにおける各端末機器からの情報収集は（Ｓ４）、常時状態情報を収集しており、所定のタイミング、例えば５回に１回の頻度でＩＤポイントポーリングを行って、各端末機器の種別情報ＩＤを返送させて端末機器の設置状態を確認する。
【００７８】
そして、ポイントポーリングにおいて（Ｓ４）、状態情報の収集結果として、いずれかの端末機器に状態変化があると判別されるときに、その端末機器の状態に合わせて音声警報や情報表示のような報知動作を行う。ここで、ポイントポーリングによる状態変化の有無は、図９のタイムチャートに示されるような個々の端末機器から返送されてきた状態情報を示す返送データＤ１、Ｄ２を保存し、前回収集した状態情報との対比によって変化の有無が判別される。なお、端末機器がアナログ式火災感知器に場合には、返送データＤ１、Ｄ２は検出した煙や温度のレベルに関するアナログデータであり、火災判別処理の結果によって状態を判別する。
【００７９】
また、このポイントポーリングにおいて（Ｓ４）、状態情報の収集結果として、状態変化がある端末機器が試験機能付き中継器２０である場合、かつ、状態変化が異常と判別される場合に、その試験機能付き中継器２０からＡＴ感知器３０が設定される全アドレスに関する状態情報を返送させるために、拡張セレクティング命令をセットする。その後、ステップＳ２へ戻るときに、セレクティング命令なしとなり（Ｓ２）、続けて、拡張セレクティング命令の有無の判断において、拡張セレクティング命令有りとなり（Ｓ７）、試験機能付き中継器２０に対する異常状態に基づく拡張セレクティングを行う（Ｓ８）。
【００８０】
さらに、このポイントポーリングにおいて（Ｓ４）、状態情報の収集結果として、状態変化がある端末機器が電源供給用中継器５０である場合、かつ、状態変化が異常（電源部５５の異常）、または電源部試験命令の受信状態と判別される場合に、その電源供給用中継器５０から電源部５５の詳細状態情報を返送させるために、拡張セレクティング命令をセットする。その後、ステップＳ２へ戻るときに、セレクティング命令なしとなり（Ｓ２）、続けて、拡張セレクティング命令の有無の判断において、拡張セレクティング命令有りとなり（Ｓ７）、電源供給用中継器５０に対する異常状態等に基づく拡張セレクティングを行う（Ｓ８）。
【００８１】
ここで、電源部試験命令としては、火災受信機１０に備えられている定期的な電源部５５の自動試験命令、または、表示操作部１２からのオペレータの端末機器制御入力等に基づく予備電源試験命令であり、セレクティング命令としての電源部試験命令がある場合（Ｓ２）に行われるセレクティング動作（Ｓ６）に基づいて火災受信機１０から送信される。そのため、セレクティング動作して（Ｓ６）、その後、ステップＳ２へ戻るときに、セレクティング命令なしとなり（Ｓ２）、続けて、拡張セレクティング命令の有無の判断において、拡張セレクティング命令なしとなり（Ｓ７）、システムポーリング命令の有無の判断において、システムポーリング命令なしとなって（Ｓ３）、ポイントポーリングを行うときに、このポイントポーリングにおいて（Ｓ４）、状態情報の収集結果として、状態変化がある端末機器が電源供給用中継器５０である場合、かつ、状態変化が電源部試験命令の受信状態と判別される場合に、その電源供給用中継器５０から電源部５５の詳細状態情報を返送させるために、拡張セレクティング命令をセットすることができる。
【００８２】
ここで、拡張セレクティングとセレクティングとの違いについて、図１２を用いて説明する。図１２において、図１２（ａ）は図９と同様のセレクティングのタイムチャートであり、図１２（ｂ）は拡張セレクティングのタイムチャートである。
【００８３】
セレクティングにおける１伝送フレームの時間は、一例として図１２（ａ）に示すように、受信機フィールドが約１７ｍｓ、ウェイティングフィールドが約４ｍｓ、端末機器フィールドが約１７ｍｓ、待機時間約１３秒で、合計約５０ｍｓである。
【００８４】
これに対して、拡張セレクティングにおける１伝送フレームの時間は、一例として図１２（ｂ）に示すように、受信機フィールドが約１７ｍｓ、ウェイティングフィールドが約４ｍｓ、端末機器フィールドが約７５ｍｓ、待機時間約１３秒で、合計約１０８ｍｓである。これらを対比すると明らかなように、端末機器フィールドのデータ領域だけが約８倍に拡張されており、火災受信機１０は、拡張セレクティングの信号送信を行うと同時に、拡大されたデータ領域を受信するようにタイミングを取り、拡張セレクティングを用いることによって、通常のセレクティングでは一度に送れない多量のデータを送信することを可能とする。
【００８５】
なお、セレクティングでは、データＤ１には受信機フィールドにおけるコマンドＣＭ１を返し、データＤ２において端末機器の状態情報を返信する。これに対し、拡張セレクティングでは、端末機器が試験機能付き中継器２０の場合は、データＤ１からＤ１６までのデータ領域のうち、データＤ１には受信機フィールドにおけるコマンドＣＭ１を返し、データＤ２からＤ６までにおいて、ＡＴ感知器３０の状態として通番１から３０までの出力異常の情報を、データＤ８からＤ１２までにおいて、ＡＴ感知器３０の状態として通番１から３０までの無応答に関する情報を、それぞれ割り当て返送する。なお、データＤ７およびＤ１３からＤ１６まではここでは未使用である。
【００８６】
また、拡張セレクティングでは、端末機器が電源供給用中継器５０の場合は、データＤ１からＤ１６までのデータ領域のうち、データＤ１には受信機フィールドにおけるコマンドＣＭ１を返し、データＤ２には電源部試験命令の受信の有無を示す情報を、データＤ３、Ｄ４、Ｄ５には電源ユニット５５ａ、予備電源５５ｂ、商用電源ＡＣ１００Ｖの異常の有無を示す情報を、データＤ６からＤ９までにおいて、電源ユニット５５ａの出力電圧値の情報を（データＤ６からＤ９は、出力電圧値の１０の位、１の位、０．１の位、０、０１の位の情報にそれぞれ対応している）、データＤ１０からＤ１３までにおいて、予備電源５５ｂの電源電圧値の情報を（データＤ１０からＤ１３は、電源電圧値の１０の位、１の位、０．１の位、０、０１の位の情報にそれぞれ対応している）、それぞれ割り当て返送する。なお、Ｄ１４からＤ１６まではここでは未使用である。このようなデータ構成については、情報に応じて任意に設定することができる。
【００８７】
このように、電源供給用中継器５０が異常状態を示す場合、または電源部試験命令の受信状態を示す場合のみ、拡張セレクティングを用いることで、通常のセレクティングによる個々の端末機器の制御動作の時間を短縮することができる。そして、端末機器が電源供給用中継器５０である場合には、このような拡張セレクティングを用いることによって、図７に示すような、表示操作部１２への表示画面上に、予備電源５５ｂの電源電圧値などの詳細状態情報を表示することができる。
【００８８】
次ぎに、感知器回線Ｌ２を介する試験機能付き中継器２０とＡＴ感知器３０との間の信号伝送について説明する。
【００８９】
図１３は、感知器回線Ｌ２上の信号伝送の一例を示す波形図である。
【００９０】
図１３において、「親」は図１における中継器２０であり、「子」は図１におけるＡＴ感知器３０である。感知器回線Ｌ２ごとに一般型感知器と混在して設けられる複数のＡＴ感知器３０に個別のアドレスが付与されていて、中継器２０は、そのアドレスに基づいてＡＴ感知器３０をグループ化して、１５アドレス単位でＡＴ感知器３０のデータを収集するもので、起動パルス、基準パルス、コマンドＣＭを送出する。
【００９１】
起動パルスは、ＡＴ感知器３０に伝送開始を認識させるためのパルスであり、中継器２０はパルス幅２ｍｓのローパルスを送出する。このパルスに基づき、ＡＴ感知器３０の図示しないマイコンは、スリープモードから立ち上がる。この図示しないマイコンは、火災検出動作等の必要な動作後にスリープモードに入るものであり、スリープモードからスタートして安定に動作するには所定の時間が必要となる。
【００９２】
基準パルスは、伝送上のパルス間隔の基本長となるパルスであり、図１３に示されるように、立下りエッジ（レベルのハイからローへの変化タイミング）の間隔で、ここでは４ｍｓとなっている。
【００９３】
コマンドＣＭは、ＡＴ感知器３０への制御コマンドであり、８ビット（ｂ７〜ｂ０）のコードを４つのパルス間隔で示し、各パルスそれぞれについて間隔を判断して信号伝送のコードに置き換える。
【００９４】
このように、１つの立下りエッジ間隔で２ビットのコードを示し、エッジ間隔が４ｍｓが００ｂ、６ｍｓが０１ｂ、８ｍｓが１０ｂ、１０ｍｓが１１ｂであり、これらの組み合わせによって、アドレス１〜１５のデータを収集するポーリング１と、アドレス１６〜３０のデータを収集するポーリング２等のコマンドＣＭを形成する。そして、ＡＴ感知器３０はコマンドＣＭを解析して伝送内容を認識する。また、詳細に説明しないが、ＡＴ感知器３０を指定して試験命令等の制御コマンドとしてのセレクティング、ＡＴ感知器３０全てをスリープモードとするスリープ開始命令等に利用される。
【００９５】
スロット０〜１４は、ＡＴ感知器３０から中継器２０へ送信するタイミングを定めるものであり、ＡＴ感知器３０は、ポーリング１またはポーリング２に合わせた自己のアドレスに基づくスロット位置（図１４（ａ）参照）を判断し、該当するスロットに正常または異常を表すコードを示すパルス（図１４（ｂ）参照）を送信する。すなわち、各ＡＴ感知器３０において、試験機能の結果として機能が正常であればパルス幅２ｍｓ、異常であればパルス幅４ｍｓ、いずれか一つのパルスが返送される。
【００９６】
このような信号伝送を用い、中継器２０は、制御コマンドＣＭ内にポーリング１またはポーリング２の制御内容を含めて送信することで、感知器回線Ｌ２に接続された最大３０個のＡＴ感知器３０の正常または異常の情報について個別に収集することができる。ここで、各スロット内のパルスの有無につき、図１４（ｂ）に示すようなパルスが返信されないときに、中継器２０は、そのスロットのＡＴ感知器３０が無応答であると判断し、異常を示すパルス返送と区別して無応答と判別する。この無応答の状態は、ＡＴ感知器３０の故障もあるが、感知器回線Ｌ２からの脱落（取外しを含む）の場合が多い。
【００９７】
なお、ここでは１本の感知器回線Ｌ２にアドレス指定できるＡＴ感知器３０は３０個までとなっているが、この個数に限定する必要はなく、スロットの数やポーリング１または２の個数によって任意に設定することができる。
【００９８】
このようにして、試験機能付き中継器２０がＡＴ感知器３０から火災信号を従来の中継器と同様にスイッチング動作によって、一般型感知器を含めて検出するものであって、そして、感知器回線Ｌ２における信号伝送によって各ＡＴ感知器３０の自動試験結果および接続の有無を収集できるものであり、異常または無応答となったＡＴ感知器３０を中継器２０が認識する。
【００９９】
したがって、中継器２０が受信する感知器回線Ｌ２におけるＡＴ感知器３０の情報は、火災検出時には検出と同時にスイッチング動作によって火災信号が中継器２０に認識でき、また、ＡＴ感知器３０の機能異常の検出時には、火災検出時に比較して急がないので、信号伝送は安定したものでよいことになる。例えば、試験機能付き中継器２０による各ＡＴ感知器３０の自動試験結果および接続の有無収集動作は、試験機能付き中継器２０の動作に基づき所定時間、３分毎等で定期的に行えばよい。
【０１００】
また、中継器２０は、感知器回線Ｌ２が複数設置され、各感知器回線Ｌ２ごとにＡＴ感知器３０を含む火災感知器からの火災信号を認識するとともに、各ＡＴ感知器３０の枝のアドレスも感知器回線Ｌ２ごとに認識する。なお、ここでいう一つの中継器２０に複数の感知器回線Ｌ２が設けられる場合、火災受信機１０とのポーリング動作に応答する端末機器としてのアドレスは感知器回線Ｌ２ごとに設定され、このことから、伝送線Ｌ１上において一つの中継器２０は複数アドレスを有してそれぞれのアドレスに対して応答することとなる。
【図面の簡単な説明】
【０１０１】
【図１】本発明の一実施形態を示すシステム構成図。
【図２】図１の火災受信機の構成を示すブロック図。
【図３】図１の電源供給用中継器の構成を示すブロック図。
【図４】図１の中継器２０ａの構成を示すブロック図。
【図５】図１の中継器２０ｃの構成を示すブロック図。
【図６】図１の火災受信機内に設けられるデータベースの構成図。
【図７】図１の火災受信機における表示内容を示す画面構成図。
【図８】図１の端末機器（中継器等）に設定されるアドレスの構成を示す説明図。
【図９】図１におけるポーリング動作を示すタイムチャート。
【図１０】図１の電源供給用中継器における内部状態情報の格納動作を示すフローチャート。
【図１１】図１の火災受信機の伝送動作を示すフローチャート。
【図１２】図１１における拡張セレクティングを示すタイムチャート。
【図１３】図１の感知器回線上の信号伝送を示すタイムチャート。
【図１４】図１３のタイミングおよびパルスの説明図。
【符号の説明】
【０１０２】
１０  火災受信機
２０  試験機能付き中継器
３０  試験機能付き感知器
５０  試験機能付き電源供給用中継器
【図１】
0004932772.tif 000002
【図２】
0004932772.tif 000003
【図３】
0004932772.tif 000004
【図４】
0004932772.tif 000005
【図５】
0004932772.tif 000006
【図６】
0004932772.tif 000007
【図７】
0004932772.tif 000008
【図８】
0004932772.tif 000009
【図９】
0004932772.tif 000010
【図１０】
0004932772.tif 000011
【図１１】
0004932772.tif 000012
【図１２】
0004932772.tif 000013
【図１３】
0004932772.tif 000014
【図１４】
0004932772.tif 000015